(57)【特許請求の範囲】
【請求項１】
本体枠、この本体枠の前部に配設された座部、下端縁より上方部位に設けられた回動手段を介して前記本体枠に回動可能に取り付けられるとともに前記回動手段を回動支点として前記座部側に向けて折り畳み可能な背もたれ部と、この背もたれ部に配設されエアーの給排気により膨縮する袋体と、前記本体枠に着脱可能に取り付けられたエアー供給装置と、前記背もたれ部の下端縁の下方および前記背もたれ部の後側に配設され、一端側を前記エアー供給装置に他端側を前記袋体に接続したエアーホースと、エアー供給装置が取り付けられた状態では前記背もたれ部の座部側への所定以上の回動を規制して折畳みを阻止する阻止手段とを備えたことを特徴とした椅子式エアーマッサージ機。
【請求項２】
前記本体枠に背もたれ部を使用位置に保持する保持手段を設けるとともに、前記阻止手段を、背もたれ部を使用位置に保持している保持手段との保持を解除する解除部材と、前記エアー供給装置の筐体に設けられこのエアー供給装置が前記本体枠に取り付けられた状態で前記解除部材の解除を阻止する阻止部材とで構成したことを特徴とする請求項１記載の椅子式エアーマッサージ機。
【請求項３】
請求項２における阻止手段を構成する、解除部材は解除操作をなす操作片を有し、阻止部材はエアー供給装置が本体枠に取り付けられた状態で前記操作片を覆う覆部で構成されていることを特徴とする椅子式エアーマッサージ機。
【請求項４】
請求項２における阻止手段を構成する、解除部材に解除操作をなす操作片を有し、阻止部材にエアー供給装置が本体枠に取り付けられた状態で前記操作片の操作を規制するストッパーで構成されていることを特徴とする椅子式エアーマッサージ機。
【請求項５】
前記阻止手段を、前記エアー供給装置の筐体に設けられこのエアー供給装置が前記本体枠に取り付けられた状態で、前記背もたれ部が座部方向に所定角度を超えて回動した際に背もたれ部の下端縁に当接して背もたれ部の回動規制する規制部材によって構成したことを特徴とする請求項１記載の椅子式エアーマッサージ機。
【発明の詳細な説明】
【０００１】
【発明の属する技術分野】
この発明は、エアーの給排気により袋体を膨縮させて被施療部をマッサージする椅子式エアーマッサージ機に関する。
【０００２】
【従来の技術】
一般にこの種の椅子式エアーマッサージ機は、本体枠、この本体枠に設けられた座部および背もたれ部等から構成された椅子本体と、この椅子本体に設けられたエアー供給装置等から構成されている。そして、椅子本体の背もたれ部は本体枠から上方に突出しているため、嵩が大きくなり椅子本体の占める空間容積が大きくなることから、運搬時あるいは家庭においての不使用時における収納に不便であり、また、運搬時あるいは家庭における収納時にはエアー供給装置を椅子本体に取り付けたままでは重量が大きく取扱いが不便である。
【０００３】
このため図１４に示すように、背もたれ部１０５の下方部を本体枠１００に軸１０１を回動支点として回動可能に設け、また、エアー供給装置１０２を本体枠１００つまり椅子本体に図示しない取付手段によって取り付け取り外し可能に取り付け、運搬時あるいは収納時には背もたれ部１０５を前方に回動させて座部１０６に重ね合わせることにより、つまり座部１０６に向けて回動させて折畳むことによって嵩を小さくするとともに、エアー供給装置を本体枠１００から取り外して椅子本体とエアー供給装置１０２と分離して運搬あるいは収納の便を図っている。
【０００４】
ところで、エアー供給装置１０２のホース接続部１０２ａと前記背もたれ部１０５に配設された図示しない複数の袋体はエアーホース１１０によって接続され、このエアーホース１１０の長さは背もたれ部１０５の傾斜角度を可変調節つまりいわゆるリクライニングを許容できる長さに設定されており、また、回動する前記背もたれ部１０５の回動支点である軸１０１は下側の最下端部１０５ａとすることはできず最下端部よりも上方に設けられており、このため背もたれ部１０５を座部１０６に重ね合わせるように折畳む方向に回動すると、この回動に伴って前記最下端１０５ａとエアー供給装置１０２のホース接続部１０２ａとの距離が前記設定されたエアーホース１１０の長さより大きくなり、図１５に示すようにエアーホース１１０が切断したり、あるいはエアー供給装置１０２のホース接続部１０２ａがエアーホース１１０の張力に起因して損傷等の事態が生じることになる。
【０００５】
なお、前記背もたれ部１０５の回動支点である軸１０１を下側の最下端部１０５ａに設けることができない理由は、背もたれ部１０５は厚みがあることから、前記軸１０１を背もたれ部１０５の最下端部１０５ａに設けると、座部１０６に重ね合わせて折畳むことができないためである。また、エアーホース１１０を図１４に示すように背もたれ部１０５の最下端部１０５ａの下側を経て背もたれ部１０５の後側に配設している理由は、図１４に二点鎖線で示すようにエアーホース１１０を背もたれ部１０５の前側に配設すると、使用者がマッサージをするために座部１０６に腰掛けて腰および背中を背もたれ部１０５に押し当てると、場合によってはエアーホース１１０が潰され流路が小さくなってエアーが正常に流れなくなり袋体の良好な膨縮が疎外され、良好なマッサージができなくなる事態が生じる。
【０００６】
このようなことから、エアーホース１１０を最下端部１０５ａの下側を経て背もたれ部１０５の後側に配設する構成としているものである。
【０００７】
また、前記エアーホース１１０の切断あるいはホース接続部１０２ａの損傷等は、エアーホース１１０の長さを長く設定すれば解消できるものであるが、エアーホース１１０を長くするとエアーホース１１０の流路抵抗が大きくなり、エアーの給排気が迅速になされないことから良好なマッサージがなされなくなり、また、エアー供給装置１０２の能力を大きくしなければならないことになる。このため上述のように通常の使用時に背もたれ部１１０をリクライニングさせる範囲で回動させるに必要な長さに設定し、運搬時あるいは収納時に際しては、前記背もたれ部１０５を座部１０６に重ね合わせるものであるが、この重ね合わせる際には、エアーホース１１０を前記ホース接続部１０２ａから取り外した後に背もたれ部１０５を回動させ、ついでエアー供給装置１０２を本体枠１００つまり椅子本体から取り外すようにしているものである。
【０００８】
したがって、運搬時あるいは収納時に際しては、前記背もたれ部１０５を座部に１０６側に折畳む操作に先立って、エアーホース１１０を前記ホース接続部１０２ａから取り外した後に背もたれ部１０５を回動させ、ついでエアー供給装置１０２を椅子本体から取り外すようにしなければならないものであるが、誤って前記手順を経ないで背もたれ部１０５を座部１０６側に折畳むように回動させると、図１５に示すようにエアーホース１１０の切断あるいはホース接続部１０２ａの損傷が生じてしまうという問題がある。
【０００９】
【発明が解決しようとする課題】
上述のように従来の椅子式エアーマッサージ機においては、運搬時あるいは収納時に際して、前記背もたれ部を座部側に折畳む操作に先立って、エアーホースを前記エアー供給装置のホース接続部から取り外さなければならないものであるが、このエアーホースの前記ホース接続部からの取り外しを誤って忘れてしまうと、エアーホースの切断あるいはホース接続部の損傷が生じてしまうという問題がある。
【００１０】
【課題を解決するための手段】
この発明は上記事情に鑑みなされたものであり、請求項１記載の発明は、本体枠、この本体枠の前部に配設された座部、下端縁より上方部位に設けられた回動手段を介して前記本体枠に回動可能に取り付けられるとともに前記回動手段を回動支点として前記座部側に向けて折り畳み可能な背もたれ部と、この背もたれ部に配設されエアーの給排気により膨縮する袋体と、前記本体枠に着脱可能に取り付けられたエアー供給装置と、前記背もたれ部の下端縁の下方および前記背もたれ部の後側に配設され、一端側を前記エアー供給装置に他端側を前記袋体に接続したエアーホースと、エアー供給装置が取り付けられた状態では前記背もたれ部の座部側への所定以上の回動を規制して折畳みを阻止する阻止手段とを備えた椅子式エアーマッサージ機としたものである。
【００１１】
このように請求項１記載の発明は、エアー供給装置が取り付けられた状態では背もたれ部の座部側への所定以上の回動を規制して折畳みを阻止する阻止手段を設けたことから、誤って背もたれ部を座部側に折畳む操作を確実に防止できるという作用を有するものである。したがって、エアーホースの切断あるいはホース接続部の損傷を確実に防止できるものである。
【００１２】
また、請求項２記載の発明は、上記請求項１記載の発明において、本体枠に背もたれ部を使用位置に保持する保持手段を設けるとともに、阻止手段を、背もたれ部を使用位置に保持している保持手段との保持を解除する解除部材と、前記エアー供給装置の筐体に設けられこのエアー供給装置が前記本体枠に取り付けられた状態で前記解除部材の解除を阻止する阻止部材とで構成した椅子式エアーマッサージ機としたものである。
【００１３】
このように請求項２記載の発明は、請求項１記載の発明における前記阻止手段を、本体枠に背もたれ部を使用位置に保持している保持手段との保持を解除する解除部材と、エアー供給装置の筐体に設けられこのエアー供給装置が前記本体枠に取り付けられた状態で前記解除部材の解除を阻止する阻止部材とで構成したことから、請求項１記載の作用に加えて、折畳み可能状態とする場合においては使用位置の保持を解除するという操作は、椅子本体にエアー供給装置が取り付けられた状態では阻止部材によって阻止されることから、誤って背もたれ部を座部側に折畳む操作を確実に防止できるという作用を有するものである。
【００１４】
また、請求項３記載の発明は、請求項２における阻止手段を構成する、解除部材は解除操作をなす操作片を有し、阻止部材はエアー供給装置が本体枠に取り付けられた状態で前記操作片を覆う覆部で構成されている椅子式エアーマッサージ機としたものである。
【００１５】
このように請求項３記載の発明は、請求項２記載の発明における阻止手段を構成する、解除部材は解除操作をなす操作片を有し、阻止部材はエアー供給装置が本体枠に取り付けられた状態で前記操作片を覆う覆部で構成されていることから、請求項２記載の発明の作用に加えて、エアー供給装置が椅子本体に取り付けられた状態では、操作片は覆部で覆われているため操作できず解除操作は確実に阻止でき、誤って背もたれ部を座部側に折畳む操作を確実に防止できるという作用を有するものである。
【００１６】
また、請求項４記載の発明は、請求項２における阻止手段を構成する、解除部材に解除操作をなす操作片を有し、阻止部材はエアー供給装置が本体枠に取り付けられた状態で前記操作片の操作を規制するストッパーで構成されている椅子式エアーマッサージ機としたものである。
【００１７】
このように請求項４記載の発明は、請求項２における阻止手段を構成する、解除部材に解除操作をなす操作片を有し、阻止部材はエアー供給装置が本体枠に取り付けられた状態で前記操作片の操作を規制するストッパーで構成されていることから、請求項２記載の発明の作用に加えて、エアー供給装置が椅子本体に取り付けられた状態では、操作片を操作しようとしてもストッパーによって規制されて操作ができないことから、誤って背もたれ部を座部側に折畳む操作を確実に防止できるという作用を有するものである。
【００１８】
また、請求項５記載の発明は、請求項１記載の発明における前記阻止手段を、前記エアー供給装置の筐体に設けられこのエアー供給装置が前記本体枠に取り付けられた状態で、前記背もたれ部が座部方向に所定角度を超えて回動した際に背もたれ部の下端縁に当接して背もたれ部の回動規制する規制部材によって構成した椅子式エアーマッサージ機としたものである。
【００１９】
このように請求項５記載の発明は、請求項１記載の発明における前記阻止手段を、前記エアー供給装置の筐体に設けられこのエアー供給装置が前記本体枠に取り付けられた状態で、前記背もたれ部が座部方向に所定角度を超えて回動した際に背もたれ部の下端縁に当接して背もたれ部の回動規制する規制部材によって構成したことから、請求項１記載の発明の作用に加えて、阻止手段はエアー供給装置の筐体に設けた規制部材によって形成するものであることから構成が簡単にできるとともに、エアー供給装置を取り外すと自動的に阻止が解除されるため阻止の解除が容易であるという作用を有するものである。
【００２０】
【発明の実施の形態】
つぎに、この発明の第一の実施の形態を図１ないし図８に基づいて説明する。図１は椅子式エアーマッサージ機の斜視図であり、図２ないし図５は椅子式エアーマッサージ機の両側の肘掛け部を取り除いた状態を示す側面図であり、図６はエアー供給装置の斜視図である。
【００２１】
図１において１は椅子式エアーマッサージ機で、この椅子式エアーマッサージ機１は、本体枠１０、この本体枠１０の前部（図２において左側）に配設された座部２０、前記本体枠１０の後部（図２において右側）に下端部を回動支点として回動可能に配設された背もたれ部３０からなる椅子本体２、この椅子本体２つまり本体枠１０に着脱可能に取り付けられたエアー供給装置４０（図１では不図示）等から構成されている。
【００２２】
そして、前記本体枠１０は、一対の角柱状の基台１１、これら基台１１のそれぞれの長手方向略中央部に立設した一対の側板１２、これら一対の側板１２の上下方向略中間部に橋架して設けられた載置板１３から構成されている。また、前記基台１１の後部には台板１４が橋架されて取り付けられている。また、前記載置板１３の前部下側面と前記両基台１１とにそれぞれ上下端を取り付けて仕切板１５が設けられている。
【００２３】
また、前記両側板１２の上端には前方に延出して支持片１２ａが形成されており、この支持片１２ａと側板１２とを心材とした側壁１６が設けられており、これら両側壁１６の上部は椅子本体２の肘掛け部１６ａを形成している。
【００２４】
また、前記載置板１３の上面には前記座部２０が載置されて配設されている。なお、この座部２０にエアーの給排気によって膨縮する腿用袋体および尻用袋体を配設するようにしてもよいものである。
【００２５】
つぎに、前記背もたれ部３０について説明する。この背もたれ部３０は、背中を支持する支持板３１とこの支持板３１および後述する袋体を覆うカバー３１ａ等で構成されており、また、前記支持板３１は図１に示すように、背受け板３２とこの背受け板３２の両側縁に上下方向に沿って形成した側板３３とから形成されている。そして、前記背受け板３２にはエアーの給排気によって膨縮する一対の腰用袋体５１、背筋用袋体５２および首部用袋体５３が配設されている。なお、前記首部用袋体５３は前記背受け板３２に形成したガイド溝３２ａに沿って上下方向に移動可能となっており、使用者が好みに応じて調節できるようになっている。
【００２６】
そして、前記背もたれ部３０の下端部は、図２ないし図５に示すように両側板３３に形成された軸孔３５に回動軸３４を貫通することにより、この回動軸３４を回動支点として前後方向に回動可能に前記本体枠１０に取り付けられている。なお、前記軸孔３５と回動軸３４は回動手段を構成しているものである。
【００２７】
また、前記回動軸３４が嵌合する前記軸孔３５の設けられている位置は、前記載置板１３の後端部の斜め上方の部位、つまり前記背もたれ部３０が座部２０に対して重ね合わせて折畳まれる際に背もたれ部３０の前面が座部２０の上面に当接して折畳みが阻止されない部位に位置して設けられ、この回動軸３４を回動中心として背もたれ部３０は、座部２０に対する傾斜角度を可変調節できるつまりいわゆるリクライニングできるようになっているとともに、図５に示すように座部２０に対して重ね合わせており畳めるようになっている。
【００２８】
また、図７に示すように前記両側板３３の下端部には背受け板３２の下端縁３２ａよりも下方に延出して形成された突出片３６が形成されており、この突出片３６の先端部には図７に示すように奥部を円弧状とするとともに、背もたれ部３０の使用状態における前側を開口３７ａとした略Ｕ字状の切欠によって形成した係合軸受３７が形成されている。また、前記突出片３６の前記係合軸受３７の上方には軸孔３６ａが形成され、この軸孔３６ａと対応して形成された軸孔３８ｅとに軸３７ｂを嵌合させて、この突出片３６に取り付けられた解除部材としての係合部材３８が回動可能に設けられている。この係合部材３８の先端部には下方側を円弧状とした係合鉤部３８ｄとするとともに前側を開口３８ａとした係合溝３８ｂが形成されており、そして、係合部材３８を前記軸３７ｂを回動支点として回動させた際の前記係合溝３８ｂの中心点の軌跡は、前記係合軸受３７の中心を通るように形成されている。また、前記係合溝３８ｂの下方に形成された前記係合鉤部３８ｄの先端部は、係合溝３８ｂの中心と前記係合軸受３７の中心とが一致した状態においては、図８に示すように前記係合軸受３７の中心Ｏを上方側に僅少寸法Ｌだけ超えるようになっている。このことによって後述するエアーシリンダー６０の係合軸６４を係合軸受３７に嵌合させた後、図８において係合部材３８を時計方向に回動させて係合溝３８ｂの中心と係合軸受３７の中心とを一致させた時は、前記係合鉤部３８ｄの先端部は前記係合軸６４の軸心を超えることになり、係合部材３８の係合鉤部３８ｄは係合軸６４に係合し、係合軸６４は前記係合軸受３７から抜けることなく保持されるものである。
【００２９】
なお、前記エアーシリンダー６０の係合軸６４は前記係合軸受３７を係合させて、背もたれ部３０を本体枠１０に使用位置に保持する保持手段を構成しており、また、係合部材３８は係合軸受３７が係合軸６４と係合して背もたれ部３０を使用位置に保持している保持を解除する解除手段を構成しているものである。
【００３０】
また、前記係合部材３８の下端部には、後方に向けて突出させて操作片３８ｃが形成されており、この操作片３８ｃによって係合部材３８は軸３７ｂを回動支点として回動操作されるようになっており、この回動操作は操作片３８ｃによって容易になされるものである。
【００３１】
つぎに、前記エアー供給装置４０について説明する。
【００３２】
このエアー供給装置４０は、筐体４１、この筐体４１内に設けられた図示しないエアーコンプレッサー、このエアーコンプレッサーで生成されるエアーを前記各袋体５１ないし５３に供給する図示しないロータリー弁からなるエアー分配器等から構成されている。そして、図６に示すように筐体４１は底板４２とこの底板４２の上部を覆うケース４３とから構成されており、前記エアーコンプレッサー、エアー分配器等は前記底板４２に取り付けられ、そしてケース４３によって覆われて筐体４１内に設けられている。
【００３３】
また、前記ケース４３は図６に示すように前部を平坦な天井壁４４とするとともに、後端部は前記天井壁４４よりも高い天井壁４５を形成し、前記平坦な天井壁４４と高い天井壁４５との境界部は垂直壁４６となっており、また、この垂直壁４６の中央部には凹部として形成され、阻止手段を構成している覆部４７が形成されている。そして、図２に示すように前記背もたれ部３０が最も起こされた状態において、前記エアーシリンダー６０の係合軸６４に係合鉤部３８ｄが係合した状態では係合部材３８の操作片３８ｃの先端部は前記覆部４７に入り込み、操作片３８ｃは覆部４７によって覆われるようになっている。つまり、前記操作片３８ｃは覆部４７によって覆われて回動操作、つまり使用状態に保持されている背もたれ部３０の保持を解除する操作が阻止されることから、エアー供給装置４０を椅子本体１０から取り外さなければ前記係合部材３８と被係合手段であるエアーシリンダー６０の係合軸６４との係合を解く操作はできないようになっている。
【００３４】
また、前記平坦な天井壁４４にはホース接続部４８が設けられており、このホース接続部４８には、複数（図６では３個のみ図示）の接続口４８ａないし４８ｃが設けられており、この接続口４８ａないし４８ｃは図示しない連結ホースを介して前記図示しないエアー分配器に接続されている。
【００３５】
また、前記筐体４１の内部には、図示しないがマイクロコンピュータ等からなる制御手段が設けられており、この制御手段は従来と同様入力手段によって設定された各種マッサージモードにしたがって前記各袋体５１ないし５３にエアーを給排気して膨縮させるようにエアーコンプレッサー、エアー分配器を制御するものである。また、前記エアーシリンダー６０に所定量のエアーの給排気をするようになっているものである。
【００３６】
そして、前記ホース接続部４８には、着脱可能なコネクター７５が接続されており、このコネクター７５は前記ホース接続部４８に設けた接続口４８ａないし４８ｃにそれぞれ対応した図示しない接続口が設けられ、これら接続口にはエアーホース７１ないし７３の一端が接続されている。そして、図１に示すようにエアーホース７１の他端は２本エアーホース７１ａ、７１ａに分岐され、これら分岐されたエアーホース７１ａ、７１ａは前記一対の腰用袋体５１にそれぞれ接続されている。また、エアーホース７２の他端は前記背筋用袋体５２に接続されており、エアーホース７３の他端は２本エアーホース７３ａ、７３ａに分岐され、これら分岐されたエアーホース７３ａ、７３ａは前記一対の首部用袋体５３にそれぞれ接続されている。
【００３７】
つぎに、前記本体枠１０の載置板１３の下方に位置して設けられた前記エアーシリンダー６０について説明する。このエアーシリンダー６０は、シリンダー部６１、このシリンダー部６１の内部に設けられた図示しないピストン、このピストンに一端が取り付けら他端に取付軸６３が設けられシリンダー部６１の一端側から外部に突出させた作動杆６２、シリンダー部６１の他端側に設けられた前述した係合軸６４等から構成されている。
【００３８】
なお、この係合軸６４は背もたれ部３０を固定式つまり傾斜角度を調節しないようにした場合は、エアーシリンダー６０に設けるのではなく本体枠例えば側板１２に設けるようにしてもよいものである。
【００３９】
そして、このピストン６０は、前記取付軸６３を前記仕切壁１５に図示しないねじによって取り付けられた固定具６６に回動可能に取り付けることにより、また、前記係合軸６４を前記背もたれ部３０の両側板３３の下端部に形成した突出片３６に形成された係合軸受３７に嵌合するとともに、前記係合部材３８を回動させて係合鉤部３８ｄを係合軸６４に係合させて背もたれ部３０に取り付けることによって椅子本体１０に配設されるようになっている。
【００４０】
また、前記シリンダー部６１には図示しないエアーホースを介して前記エアー供給装置４０に接続されている。そして、図示しない前記制御手段によって上述したように、シリンダー部６１に供給するエアーの給気量を制御して前記作動杆６２の外方への突出長が調節されるようになっている。つまり、今シリンダー部６１内のエアーを全て排気した状態に維持されると図３に示すように作動杆６２の外方への突出長は最も短くすることができ、その結果同図に示すように係合軸受３７に嵌合している係合軸６４は、この係合軸受３７を前方に最も大きく移動させるため、背もたれ部３０は回動軸３４を回動中心として時計方向に最も大きく回動し、背もたれ部３０は最も後方に倒れた使用状態となりこの使用状態に保持される。
【００４１】
つぎに、シリンダー部６１に供給するエアーの量を最も多くすると、作動杆６２の外方への突出長は最も大きくなり、その結果図２に示すように係合軸受３７に嵌合している係合軸６４は、この係合軸受３７を後方に最も大きく移動させるため、背もたれ部３０は回動軸３４を回動中心として反時計方向に最も大きく回動し、その結果背もたれ部３０は最も起きた使用状態となりこの使用状態に保持される。そして、この最も起きた状態では前記係合部材３８の操作片３８ｃの先端部は図２に示すようにエアー供給装置４０の覆部４７の凹部内に入り込んでおり、前記操作片３８ｃは覆部４７によって覆われて操作できないようになっていることから、係合部材３８を操作して係合軸６４との係合を解除することができないものである。なお、前記シリンダー部６１の吸気量を調節することにより、背もたれ部３０の傾斜は任意に設定することができるものである。
【００４２】
つぎに、椅子式エアーマッサージ機１の運搬時あるいは収納時に、前記背もたれ部３０を座部２０に重ね合せる操作、つまり座部２０側に折畳む操作について図４、図５に基づいて説明する。
【００４３】
まず、図４に示すように図示しない取付手段を外してエアー供給装置４０を椅子本体１０から取り外し、ついで前記コネクター７５をホース接続部４８から取り外す（図４参照）。ついで、前記係合部材３８の操作片３８ｃに指を掛けて軸３７ｂを回動支点として反時計方向に回動させると、係合鉤部３８ｄと係合軸６４との係合が解かれる。つまり使用位置に保持されている背もたれ部３０の保持が解除される。そして、係合鉤部３８ｄと係合軸６４との係合が解除された状態では、係合軸６４は係合軸受３７から自由に離脱できるものであることから、この状態で背もたれ部３０を反時計方向つまり座部２０に折畳む方向に回動させると、係合軸６４は係合軸受３７から離脱し図５に示すように背もたれ部３０は座部２０に重ね合わせて折畳むことができる。そして折畳んだ状態では背もたれ部３０は椅子本体１０の上方に突出することがなく、嵩つまり椅子本体１０の占める空間容積を小さくできるものである。
【００４４】
そして、背もたれ部３０を反時計方向に回動させる際には、エアーホース７１ないし７３はコネクター７５がホース接続部４８ａから外されて自由状態となっていることから、張力が加わることがないため前記張力に起因して切断することはないものである。また、コネクター７５はホース接続部４８ａから外されていることから、前記張力に起因して前記ホース接続部４８ａあるいはコネクター７５が破損することはないものである。
【００４５】
なお、エアーシリンダー６０は図示しない支持手段によって、係合軸６４が係合軸受３７から離脱した際は、図５に示す位置に保持されるようになっている。上述したように上記椅子式エアーマッサージ機１において、椅子式エアーマッサージ機１の運搬時あるいは収納時には背もたれ部３０を座部２０に重ね合わせるとともに、エアー供給装置４０を取り外す構成としたことから、運搬あるいは収納を容易とすることができるものである。そして、座部２０側に折畳むために背もたれ部３０を回動させる場合は、係合部材３０の操作片３８ｃは、エアー供給装置４０に形成した前記覆部４７によって覆われていることから、エアー供給装置４０を椅子本体１０から取りは外さない限り操作できないため、前記係合部材３８の係合鉤部３８ｄと係合軸６４との係合を解くことができず、したがって、係合軸６４は係合軸受３７から離脱できないことから、背もたれ部３０は使用状態における最も起こされた状態を超えて反時計方向には回動できないものである。したがって、誤って背もたれ部３０を座部２０に重ね合わせて折畳まれることを確実に防止でき、エアーホース７１ないし７３の切断あるいはコネクター７５、ホース接続部４８の損傷等を確実に防止できるものである。
【００４６】
また、エアー供給装置４０が椅子本体１０に取り付けられた状態、特に係合部材３８が最もエアー供給装置４０側に位置しているときは、係合部材３８の操作片３８ｃの先端部は凹部として形成された前記覆部４７の内部に入り込んで確実に覆われていることから、係合部材３８の係合を外す操作つまり保持を解除する操作を確実に阻止できるものである。
【００４７】
なお、上記第一の実施の形態においては、解除手段である係合部材２８を軸３７ｂを回動中心として回動する構成としたが、これは突出片３６に図示しないが図において上下方向に沿ったスライド溝を設け、また、係合部材３８の側面に同じく図示しないが前記スライド溝にスライド可能な突起を設け、この突起をスライド溝に嵌合させるとともに、ばね部材によって常時上方に付勢して係合部材３８を上下方向にスライド可能に取り付ける構成としてもよいものである。そして、この場合においても操作片３８ｃはエアー供給装置４０が椅子本体１０に取り付けられた状態では、覆部４７に入り込んでいることからエアー供給装置を椅子本体から取り外さない限り、使用状態に保持されている背もたれ部３０の保持は解除できないものである。
【００４８】
また、上記第一の実施の形態においては、エアー供給装置４０を椅子本体１０から取り外す際の位置決手段は設けていないが、これは図２に二点鎖線で示したように、基台１１を後方に延出するとともにこの後端部に、エアー供給装置４０を取り外すときに後方に引き出した際に、所定位置に位置決めされるようにエアー供給装置４０の後端部が当接する規制突起１１ａを設け、この位置にエアー供給装置４０が位置した際にコネクター７５を取り外すようにして、コネクター７５の取り外しの忘れ防止をするようにしてもよいものである。
【００４９】
また、上記第一の実施の形態においては、阻止手段をエアー供給装置４０の筐体４１に形成した凹部によって構成したが、これは図９および図１０に示すように、筐体４０の垂直壁４６と同一面として高い天井壁４５から上方に方形状に突出させて形成したストッパー４７ａによって構成するようにしてもよく、このように構成した場合においても、エアー供給装置４０が椅子本体１０に取り付けられた状態では、前記操作片３８ｃの操作は前記ストッパー４７ａによって阻止されるため、椅子本体１０にエアー供給装置４０が取り付けられた状態では係合軸６４と係合部材３８の係合の解除を確実に防止できるものである。
【００５０】
なお、図９、図１０においては、上記阻止部材としてのストッパー４７ａを除くその他の構成は上記第一の実施の形態における構成と同一であるので、同一部分には同一符号を付し、その説明は省略する。
【００５１】
つぎに、この発明の第二の実施の形態を図１１および図１３に基づいて説明する。なお、この第二の実施の形態と上記第一の実施の形態とは、背もたれ部３０とエアー供給装置４０の一部の構成を除いて他の構成は同一であることから、同一構成部分には同一符号を付し、その説明は省略する。
【００５２】
図１３に示すように背もたれ部３０の背受け板３２の下端縁３２ｂを側板３３に形成された突出片３６の先端部よりも下方に向けて延出させて形成し、また、エアー供給装置４０の筐体４１に、平坦な天井壁４４と高い天井壁４５との境界部に垂直壁４６ａを形成する。なお、この垂直壁４６ａは阻止手段を構成するとともに同時に規制部材として機能しているものである。そして、垂直壁４６ａは、前記背もたれ部３０が回動軸３４に嵌合した軸孔３５を回動中心として反時計方向に回動した際に、前記下端縁３２ｂと当接して、背もたれ部３０の所定以上の回動つまり少なくとも使用時において背もたれ部３０を最も起こした使用状態における位置より僅か反時計方向への回動を許容する以上の回動を阻止すなわち規制するようになっている。
【００５３】
このことによって、エアー供給装置４０が本体枠１０に取り付けられた状態では、仮に係合部材３８が操作されて係合軸６４との係合が解除されて、背もたれ部３０が反時計方向に回動されたとしても、前記背受け板３２の下端縁３２ｂの先端部が前記垂直壁４６ａに当接して、それ以上の回動が規制され背もたれ部３０の座部２０側への回動は規制される。したがって、背もたれ部３０が誤って座部２０側に折畳まれるように回動されることは確実に防止され、エアーホース７１ないし７３の切断あるいはコネクター７５、ホース接続部４８の損傷等を確実に防止できるものである。
【００５４】
【発明の効果】
上記のように構成した請求項１記載の発明は、エアー供給装置が取り付けられた状態では背もたれ部の座部側への所定以上の回動を規制して折畳みを阻止する阻止手段を設けたことから、誤って背もたれ部を座部側に折畳む操作を確実に防止でき、エアーホースの切断あるいはホース接続部の損傷を確実に防止できるという効果を有するものである。
【００５５】
また、請求項２記載の発明は、請求項１記載の発明における前記阻止手段を、本体枠に背もたれ部を使用位置に保持している保持手段との保持を解除する解除部材と、エアー供給装置の筐体に設けられこのエアー供給装置が前記本体枠に取り付けられた状態で前記解除部材の解除を阻止する阻止部材とで構成したことから、請求項１記載の効果に加えて、折畳み可能状態とする場合における使用位置の保持を解除するという操作は、椅子本体にエアー供給装置が取り付けられた状態では阻止され、誤って背もたれ部を座部側に折畳むという操作を確実に防止できるという効果を有するものである。
【００５６】
また、請求項３記載の発明は、請求項２記載の発明における阻止手段を構成する、解除部材は解除操作をなす操作片を有し、阻止部材はエアー供給装置が本体枠に取り付けられた状態で前記操作片を覆う覆部で構成されていることから、請求項２記載の発明の効果に加えて、エアー供給装置が椅子本体に取り付けられた状態では、操作片は覆部で覆われているため操作できず解除操作は確実に阻止でき、誤って背もたれ部を座部側に折畳む操作を確実に防止できるという効果を有するものである。
【００５７】
また、請求項４記載の発明は、請求項２における阻止手段を構成する、解除部材に解除操作をなす操作片を有し、阻止部材はエアー供給装置が本体枠に取り付けられた状態で前記操作片の操作を規制するストッパーで構成されていることから、請求項２記載の発明の効果に加えて、エアー供給装置が椅子本体に取り付けられた状態では、操作片を操作しようとしてもストッパーによって規制されて操作ができないことから、誤って背もたれ部を座部側に折畳む操作を確実に防止できるという効果を有するものである。
【００５８】
請求項５記載の発明は、請求項１記載の発明における前記阻止手段を、前記エアー供給装置の筐体に設けられこのエアー供給装置が前記本体枠に取り付けられた状態で、前記背もたれ部が座部方向に所定角度を超えて回動した際に背もたれ部の下端縁に当接して背もたれ部の回動規制する規制部材によって構成したことから、請求項１記載の発明の効果に加えて、阻止手段はエアー供給装置の筐体に設けた規制部材によって形成するものであることから構成が簡単にできるとともに、エアー供給装置を取り外すと自動的に阻止が解除されるため阻止の解除が容易であるという効果を有するものである。
【図面の簡単な説明】
【図１】本発明の第一の実施の形態を示す椅子式エアーマッサージ機の斜視図。
【図２】上記実施の形態における椅子式エアーマッサージ機の背もたれ部を最も起こした状態の側断面図。
【図３】上記実施の形態における椅子式エアーマッサージ機の背もたれ部を最も倒した状態の側断面図。
【図４】上記実施の形態における椅子式エアーエアーマッサージ機の背もたれ部を座部側に回動させる際の手順を示す図で背もたれ部を最も起こした状態の側断面図。
【図５】上記実施の形態における椅子式エアーマッサージ機の背もたれ部を座部側に回動させる際の手順を示す図で背もたれ部を最も倒した状態の側断面図。
【図６】上記実施の形態におけるエアー供給措置の斜視図。
【図７】上記実施の形態における背もたれ部に設けた解除手段を示す分解斜視図。
【図８】上記実施の形態における背もたれ部の設けた解除手段が解除されてない状態を示す状態を示す図。
【図９】上記実施の形態における阻止手段の他の実施の形態をエアー供給装置に設けた場合の椅子式エアーマッサージ機の側断面図。
【図１０】上記実施の形態における阻止手段の他の実施の形態をエアー供給装置に設けた場合の斜視図。
【図１１】本発明の第二の実施の形態の椅子式エアーマッサージ機の背もたれ部を最も起こした状態の側断面図。
【図１２】上記第二の実施の形態の椅子式エアーマッサージ機のエアー供給装置の斜視図。
【図１３】上記第二の実施の形態の椅子式エアーマッサージ機の背もたれ部の一部を示す斜視図。
【図１４】従来の椅子式エアーマッサージ機の背もたれ部を最も起こした状態の側断面図。
【図１５】従来の椅子式エアーマッサージ機の背もたれ部を座部側に回動させる過程でエアーホースが切断される状態を示す側断面図。
【符号の説明】
１            椅子式エアーマッサージ機
２            椅子本体
１０          本体枠
２０          座部
３０          背もたれ部
３８          係合部材（解除手段）
３８ｃ        操作片
４０          エアー供給装置
４７            覆部（阻止手段）
４７ａ        ストッパー（阻止手段）
５１〜５３    袋体
７１〜７３    エアーホース
【図１】
0003554468.tif 000002
【図２】
0003554468.tif 000003
【図３】
0003554468.tif 000004
【図４】
0003554468.tif 000005
【図５】
0003554468.tif 000006
【図６】
0003554468.tif 000007
【図７】
0003554468.tif 000008
【図８】
0003554468.tif 000009
【図９】
0003554468.tif 000010
【図１０】
0003554468.tif 000011
【図１１】
0003554468.tif 000012
【図１２】
0003554468.tif 000013
【図１３】
0003554468.tif 000014
【図１４】
0003554468.tif 000015
【図１５】
0003554468.tif 000016